(57)【要約】  本開示の吸収性物品は、以下の構成を有する。  液透過性シート（３）と、吸収体（５）と、有色層（１５）と、液不透過性シート（１７）とをその順で備え、長手方向（Ｌ）、幅方向（Ｗ）及び厚さ方向（Ｔ）を有する吸収性物品（１）であって、吸収性物品（１）が、お互いに離間して配置されている一対のエンボス部（２１）と、それらの間に配置された非エンボス部（２７）とを含むエンボス領域（２９）を備え、一対のエンボス部（２１）のそれぞれが、吸収体（５）をエンボスしているが、有色層（１５）をエンボスしておらず、非エンボス部（２７）が、吸収体（５）及び有色層（１５）をエンボスしておらず、エンボス領域（２９）では、吸収体（５）のエンボス部構成部分（３１）の厚さが、吸収体（５）の非エンボス部構成部分（３３）の厚さよりも薄いことを特徴とする吸収性物品（１）。
2018061220.tif 000002
【特許請求の範囲】
【請求項１】
液透過性シートと、吸収体と、有色層と、液不透過性シートとをその順で備え、長手方向、幅方向及び厚さ方向を有する吸収性物品であって、  前記吸収性物品が、一対のエンボス部と、それらの間に配置された非エンボス部とを含むエンボス領域を備え、  前記一対のエンボス部のそれぞれが、前記吸収体をエンボスしているが、前記有色層をエンボスしておらず、  前記非エンボス部が、前記吸収体及び前記有色層をエンボスしておらず、  前記エンボス領域では、前記吸収体の、前記一対のエンボス部のそれぞれを構成するエンボス部構成部分の厚さが、前記吸収体の、前記非エンボス部を構成する非エンボス部構成部分の厚さよりも薄い、  ことを特徴とする、前記吸収性物品。
【請求項２】
前記エンボス領域では、前記吸収体の前記エンボス部構成部分の坪量が、前記吸収体の前記非エンボス部構成部分の坪量よりも小さい、請求項１に記載の吸収性物品。
【請求項３】
前記吸収体が、パルプ繊維と、高分子吸収剤とを含む吸収コアを備え、前記吸収コアにおいて、前記一対のエンボス部のそれぞれを構成する吸収コアエンボス部構成部分の前記パルプ繊維の質量比が、前記非エンボス部を構成する吸収コア非エンボス部構成部分の前記パルプ繊維の質量比よりも高い、請求項１又は２に記載の吸収性物品。
【請求項４】
前記一対のエンボス部のそれぞれが、前記厚さ方向において、前記液透過性シートをさらにエンボスしている、請求項１〜３のいずれか一項に記載の吸収性物品。
【請求項５】
前記エンボス領域が、前記吸収性物品の排泄口当接域を含む領域に配置されている、請求項１〜４のいずれか一項に記載の吸収性物品。
【請求項６】
前記吸収性物品が、前記液不透過性シートに、前記吸収性物品を着衣に固定するための固定部を有し、前記一対のエンボス部が、前記非エンボス部の、前記幅方向の両外側で、前記長手方向に延びている、請求項５に記載の吸収性物品。
【請求項７】
前記非エンボス部が、排泄口当接域に配置されており、前記一対のエンボス部が、前記排泄口当接域の外縁を、連続的又は間欠的に取り囲んでいる、請求項６に記載の吸収性物品。
【請求項８】
前記吸収性物品が、前記エンボス領域の内側に、一対の第２エンボス部と、それらの間に配置された第２非エンボス部とを含む第２エンボス領域を備え、前記一対の第２エンボス部のそれぞれが、前記液透過性シート及び前記吸収体をエンボスしているが、前記有色層をエンボスしておらず、第２非エンボス部が、前記吸収体及び前記有色層をエンボスしていない、請求項７に記載の吸収性物品。
【請求項９】
前記吸収性物品が使い捨ておむつであり、前記一対のエンボス部のそれぞれが、前記長手方向に延びる、折曲げ誘導部である、請求項１〜５のいずれか一項に記載の吸収性物品。
【請求項１０】
前記吸収性物品が、前記吸収体と、前記液不透過性シートとの間に第２吸収体を備え、前記有色層が、第２吸収体の肌側面を構成している、請求項１〜９のいずれか一項に記載の吸収性物品。
【請求項１１】
前記有色層が、機能性成分をさらに含む、請求項１〜１０のいずれか一項に記載の吸収性物品。
【発明の詳細な説明】
【技術分野】
【０００１】  本開示は、吸収性物品に関する。
【背景技術】
【０００２】  生理用ナプキン、使い捨ておむつ等の吸収性物品では、装飾性を高める観点から、吸収性物品の肌当接面側から着用者が認識可能な着色を吸収性物品に施すことが行われている。  例えば、特許文献１には、液透過性の表面シート、液不透過性の裏面シート、及び前記表面シートと前記裏面シートとの間に配置される吸収体を有する吸収性物品であって、前記吸収体は、着色層と、前記着色層よりも前記表面シート側に配置された吸収層と、を備えており、前記吸収体には、前記表面シート、前記吸収層及び前記着色層を、前記表面シート側から前記裏面シート側に圧縮した圧搾部が形成されており、前記着色層は、着色された繊維が積層されており、前記吸収層は、エアレイド法によって繊維が積層され、当該繊維同士を接着するバインダーを有していない、吸収性物品が記載されている。
【先行技術文献】
【特許文献】
【０００３】
【特許文献１】特開２０１３−７５０８２号公報
【発明の概要】
【発明が解決しようとする課題】
【０００４】  特許文献１に記載の吸収性物品では、表面シート、吸収層及び着色層を圧縮した圧搾部を形成し、表面シート側から圧搾部を介して着色層を視認させることを意図するものである。しかし、本願発明者が検討したところ、上記着色層の位置を、着用者の配置すべき位置と合わせるための目印として使用するには改良の余地があることが分かった。  従って、本開示は、液透過性シート側から位置合わせすべき場所を把握しやすく、着用の際に、吸収性物品の位置合わせすべき位置と、着用者の配置すべき位置とを合わせやすい吸収性物品を提供することを目的とする。
【課題を解決するための手段】
【０００５】  本開示者らは、液透過性シートと、吸収体と、有色層と、液不透過性シートとをその順で備え、長手方向、幅方向及び厚さ方向を有する吸収性物品であって、上記吸収性物品が、一対のエンボス部と、それらの間に配置された非エンボス部とを含むエンボス領域を備え、上記一対のエンボス部のそれぞれが、上記吸収体をエンボスしているが、上記有色層をエンボスしておらず、上記非エンボス部が、上記吸収体及び上記有色層をエンボスしておらず、上記エンボス領域では、上記吸収体の、上記一対のエンボス部のそれぞれを構成するエンボス部構成部分の厚さが、上記吸収体の、上記非エンボス部を構成する非エンボス部構成部分の厚さよりも薄いことを特徴とする吸収性物品を見出した。
【発明の効果】
【０００６】  本開示の吸収性物品は、液透過性シート側から位置合わせすべき場所を把握しやすく、着用の際に、吸収性物品の位置合わせすべき位置と、着用者の配置すべき位置とを合わせやすい。
【図面の簡単な説明】
【０００７】
【図１】図１は、第１実施形態に従う吸収性物品１の平面図である。
【図２】図２は、吸収性物品１の、図１のＩＩ−ＩＩ断面における部分断面図である。
【図３】図３は、エンボス部２１〜エンボス部２５が形成される前の吸収体５の、図１のＩＩ−ＩＩ断面に相当する断面図である。
【図４】図４は、第２実施形態に従う吸収性物品１を説明するための図である。
【図５】図５は、第３実施形態に従う吸収性物品１の平面図である。
【図６】図６は、吸収性物品１の、図５のＶＩ−ＶＩ断面における部分断面図である。
【図７】図７は、第４実施形態に従う吸収性物品１の平面図である。
【図８】図８は、吸収体５の平面図である。
【図９】図９は、吸収性物品１の、図７のＩＸ−ＩＸ断面における部分断面図である。
【図１０】図１０は、エンボス部２１（２１ａ，２１ｂ）が形成される前の吸収体５の、図７のＩＸ−ＩＸ断面に相当する断面図である。
【図１１】図１１は、第１実施形態に従う吸収性物品１の吸収コア７の製造例を説明するための図である。
【発明を実施するための形態】
【０００８】  具体的には、本開示は以下の態様に関する。［態様１］  液透過性シートと、吸収体と、有色層と、液不透過性シートとをその順で備え、長手方向、幅方向及び厚さ方向を有する吸収性物品であって、  上記吸収性物品が、一対のエンボス部と、それらの間に配置された非エンボス部とを含むエンボス領域を備え、  上記一対のエンボス部のそれぞれが、上記吸収体をエンボスしているが、上記有色層をエンボスしておらず、  上記非エンボス部が、上記吸収体及び上記有色層をエンボスしておらず、  上記エンボス領域では、上記吸収体の、上記一対のエンボス部のそれぞれを構成するエンボス部構成部分の厚さが、上記吸収体の、上記非エンボス部を構成する非エンボス部構成部分の厚さよりも薄い、  ことを特徴とする、上記吸収性物品。
【０００９】  上記吸収性物品は、エンボス領域において、所定のエンボス部と、所定の非エンボス部とを有するとともに、吸収体のエンボス部構成部分の厚さが、吸収体の非エンボス部構成部分の厚さよりも薄い。従って、上記吸収性物品では、エンボス領域において、エンボス部の液透過性シートの肌当接面から有色層までの物理的距離が、非エンボス部のそれよりも近く、エンボス部から有色層が視認しやすいとともに、非エンボス部から有色層が視認しにくい。以上より、着用者が、上記吸収性物品を着用する際に、又は使用者が着用者に上記吸収性物品を着用させる際に、吸収性物品のエンボス領域の位置と、着用者の配置すべき位置（例えば、膣口、尿口、肛門等）とを合わせやすい。
【００１０】  なお、本明細書では、着用者が吸収性物品（例えば、生理用ナプキン、パンティーライナー、尿取りパッド等）を着用する場合と、使用者が着用者に吸収性物品（例えば、使い捨ておむつ、尿取りパッド等）を着用させる場合とをまとめて、「着用者が吸収性物品を着用する」と表現する。  また、本明細書では、吸収性物品のエンボス領域の位置と、着用者の配置すべき位置（例えば、膣口、尿口、肛門等）とを合わせることを、単に「位置合わせ」と称する場合がある。
【００１１】［態様２］  上記エンボス領域では、上記吸収体の上記エンボス部構成部分の坪量が、上記吸収体の上記非エンボス部構成部分の坪量よりも小さい、態様１に記載の吸収性物品。
【００１２】  上記吸収性物品では、吸収体のエンボス部構成部分の坪量が、吸収体の非エンボス部構成部分の坪量よりも小さいので、液透過性シート側からエンボス部に入射する入射光と、有色層にて反射し、液透過性シート側に戻る反射光とが減衰しにくく、着用者が、エンボス部の色を視認しやすい。一方、非エンボス部では、液透過性シート側から非エンボス部に入射する入射光と、有色層にて反射し、液透過性シート側に戻る反射光とが、エンボス部よりも減衰しやすい。その結果、着用者が、上記吸収性物品のエンボス領域を視認しやすくなり、上記吸収性物品を着用する際に位置合わせが簡易である。
【００１３】［態様３］  上記吸収体が、パルプ繊維と、高分子吸収剤とを含む吸収コアを備え、上記吸収コアにおいて、上記一対のエンボス部のそれぞれを構成する吸収コアエンボス部構成部分の上記パルプ繊維の質量比が、上記非エンボス部を構成する吸収コア非エンボス部構成部分の上記パルプ繊維の質量比よりも高い、態様１又は２に記載の吸収性物品。
【００１４】  上記吸収性物品では、吸収コアエンボス部構成部分のパルプ繊維の質量比が、吸収コア非エンボス部構成部分のパルプ繊維の質量比よりも高いので、液透過性シート側からエンボス部に入射する入射光と、有色層にて反射し、液透過性シート側に戻る反射光とが、パルプ繊維と、パルプ繊維と異なる屈折率を有する高分子吸収剤等との界面で反射しにくく、着用者が、エンボス部の色を視認しやすい。一方、非エンボス部では、液透過性シート側から非エンボス部に入射する入射光と、有色層にて反射し、液透過性シート側に戻る反射光とが、パルプ繊維と、高分子吸収剤等との界面で反射しやすく、着用者が、非エンボス部の色を視認しにくい。その結果、着用者が、上記吸収性物品のエンボス領域を視認しやすく、上記吸収性物品を着用する際に位置合わせが簡易である。
【００１５】［態様４］  上記一対のエンボス部のそれぞれが、上記厚さ方向において、上記液透過性シートをさらにエンボスしている、態様１〜３のいずれか一項に記載の吸収性物品。
【００１６】  上記吸収性物品では、エンボス部のそれぞれが、液透過性シートをエンボスしているので、エンボス部における液透過性シートが、非エンボス部における液透過性シートよりも光の透過性に優れる。その結果、着用者が、上記吸収性物品のエンボス領域を視認しやすく、上記吸収性物品を着用する際に位置合わせが簡易である。
【００１７】［態様５］  上記エンボス領域が、上記吸収性物品の排泄口当接域を含む領域に配置されている、態様１〜４のいずれか一項に記載の吸収性物品。
【００１８】  上記吸収性物品では、エンボス領域が排泄口当接域を含む領域に配置されているので、着用者が、着用者の排泄口の位置と、吸収性物品の排泄口当接域の位置とが一致するように、吸収性物品の位置を合わせやすい。
【００１９】［態様６］  上記吸収性物品が、上記液不透過性シートに、上記吸収性物品を着衣に固定するための固定部を有し、上記一対のエンボス部が、上記非エンボス部の、上記幅方向の両外側で、上記長手方向に延びている、態様５に記載の吸収性物品。
【００２０】  上記吸収性物品は、着衣に固定して用いられるタイプのもの、例えば、生理用ナプキン、パンティーライナー、尿取りパッド等であるとともに、一対のエンボス部が、非エンボス部の幅方向の両外側で長手方向に延びているので、エンボス領域のエンボス部が、吸収性物品の幅方向の折り起点となるので、吸収性物品がフィット性に優れる。また、エンボス領域のエンボス部が、体液をエンボス部に沿って長手方向に流すことができるので、吸収性物品が耐漏れ性に優れる。
【００２１】［態様７］  上記非エンボス部が、排泄口当接域に配置されており、上記一対のエンボス部が、上記上記排泄口当接域の外縁を、連続的又は間欠的に取り囲んでいる、態様６に記載の吸収性物品。
【００２２】  上記吸収性物品では、非エンボス部が、排泄口当接域に配置されており、一対のエンボス部が、排泄口当接域を、連続的又は間欠的に取り囲んでいるので、着用者が、上記吸収性物品のエンボス領域を視認しやすく、上記吸収性物品を着用する際に位置合わせが簡易である。また、エンボス領域のエンボス部が、体液をその外側に移動させにくいので、吸収性物品が耐漏れ性に優れる。
【００２３】［態様８］  上記吸収性物品が、上記エンボス領域の内側に、一対の第２エンボス部と、それらの間に配置された第２非エンボス部とを含む第２エンボス領域を備え、上記一対の第２エンボス部のそれぞれが、上記液透過性シート及び上記吸収体をエンボスしているが、上記有色層をエンボスしておらず、第２非エンボス部が、上記吸収体及び上記有色層をエンボスしていない、態様７に記載の吸収性物品。
【００２４】  上記吸収性物品は、エンボス領域の内側に、第２エンボス領域をさらに備えるので、着用者が、吸収性物品のエンボス領域及び第２エンボス領域を視認しやすくなり、上記吸収性物品を着用する際に位置合わせが簡易である。
【００２５】［態様９］  上記吸収性物品が使い捨ておむつであり、上記一対のエンボス部のそれぞれが、上記長手方向に延びる、折曲げ誘導部である、態様１〜５のいずれか一項に記載の吸収性物品。  上記吸収性物品は、使い捨ておむつであるとともに、エンボス部が長手方向に延びる折曲げ誘導部であるため、上記吸収性物品は、フィット性に優れる。
【００２６】［態様１０］  上記吸収性物品が、上記吸収体と、上記液不透過性シートとの間に第２吸収体を備え、上記有色層が、第２吸収体の肌側面を構成している、態様１〜９のいずれか一項に記載の吸収性物品。  上記吸収性物品は、有色層を構成する第２吸収体をさらに含むので、液不透過性シートの着衣当接面等に形成される色彩とは無関係に、吸収性物品の液透過性シート側から、吸収性物品の位置合わせの目印となりやすい色彩を選択することができる。
【００２７】［態様１１］  上記有色層が、機能性成分をさらに含む、態様１〜１０のいずれか一項に記載の吸収性物品。  上記吸収性物品では、有色層が機能性成分をさらに含むので、着用者が、機能性成分の機能と、有色層の色とを関連づけ、機能性成分の機能を実感しやすくなる。
【００２８】  本開示の吸収性物品について、以下、詳細に説明する。  図１〜図３は、本開示の実施形態の１つ（以下、「第１実施形態」と称する）に従う吸収性物品１、具体的には、生理用ナプキンを説明するための図である。具体的には、図１は、吸収性物品１の平面図である。図２は、吸収性物品１の、図１のＩＩ−ＩＩ断面における部分断面図である。図３は、エンボス部２１〜エンボス部２５が形成される前の吸収体５の、図１のＩＩ−ＩＩ断面に相当する断面図である。
【００２９】  第１実施形態に従う吸収性物品１は、液透過性シート３と、吸収体５と、有色層１５と、液不透過性シート１７と、吸収性物品１を着衣に固定するための固定部１９とをその順で備える。吸収性物品１はまた、長手方向Ｌ、幅方向Ｗ及び厚さ方向Ｔを有する。吸収性物品１は、サイドシート１０１と、吸収性物品１の端部をシールするシール部１０３とを有するが、いずれも当技術分野で公知のものであるので詳細な説明を省略する。
【００３０】  有色層１５は、吸収体５よりも、長手方向Ｌの長さ及び幅方向Ｗの長さが長く、そして長手方向Ｌ及び幅方向Ｗの両方において、吸収体５の端縁よりもその端縁が外側にくるように配置されている。また、有色層１５は、白色の液透過性シートと異なる緑系色に着色された不織布から構成されている。  吸収体５は、吸収コア７と、吸収コア７を覆う２枚のコアラップ１３とから成り、吸収コア７は、パルプ繊維９と、高分子吸収剤１１とを含む。
【００３１】  吸収性物品１は、一対のエンボス部２１（２１ａ，２１ｂ）と、一対のエンボス部２２（２２ａ，２２ｂ）と、一対のエンボス部２３（２３ａ，２３ｂ）と、一対のエンボス部２４（２４ａ，２４ｂ）と、エンボス部２５とを備える。
【００３２】  吸収性物品１は、幅方向Ｗに、お互いに離間して配置されている一対のエンボス部２１（２１ａ，２１ｂ）と、それらの間の非エンボス部２７とを含むエンボス領域２９を備える。非エンボス部２７は、吸収性物品１の長手方向Ｌ及び幅方向Ｗの中心に配置されており、そして吸収性物品１の排泄口当接域に配置されている。  一対のエンボス部２１（２１ａ，２１ｂ）は、非エンボス部２７の幅方向Ｗの両外側に配置され、そして一対のエンボス部２１（２１ａ，２１ｂ）のそれぞれは、長手方向Ｌに延びている。
【００３３】  図２に示されるように、一対のエンボス部２１（２１ａ，２１ｂ）のそれぞれでは、液透過性シート３及び吸収体５が、厚さ方向Ｔにエンボスされており、そして有色層１５はエンボスされていない。また、非エンボス部２７では、液透過性シート３、吸収体５及び有色層１５のいずれもエンボスされていない。
【００３４】  エンボス領域２９では、吸収体５の、一対のエンボス部２１（２１ａ，２１ｂ）を構成する部分である、一対のエンボス部構成部分３１（３１ａ，３１ｂ）のそれぞれの坪量が、吸収体５の非エンボス部２７を構成する部分である非エンボス部構成部分３３の坪量よりも小さい。これは、図３に示されるように、吸収体５、具体的には吸収コア７が、一対のエンボス部２１（２１ａ，２１ｂ）が形成される前の時点で、高坪量領域３５と、高坪量領域３５の坪量よりも坪量が小さい低坪量領域３７を備え、低坪量領域３７は、一対のエンボス部構成部分３１（３１ａ，３１ｂ）のそれぞれと一致するように形成されていることに由来する。なお、吸収コア７の製造方法は、後述する。
【００３５】  すなわち、一対のエンボス部２１（２１ａ，２１ｂ）を形成する前の時点で、一対のエンボス部構成部分３１（３１ａ，３１ｂ）のそれぞれを低坪量領域３７とし、非エンボス部構成部分３３を高坪量領域３５とすることにより、一対のエンボス部２１（２１ａ，２１ｂ）を形成した後も、同様の坪量関係を有することになる。吸収体５を通して、有色層１５の色を観察する場合には、吸収体５の坪量が小さい方が有色層１５の色が透けやすいため、液透過性シート３側から、一対のエンボス部２１（２１ａ，２１ｂ）のそれぞれを通して、有色層１５の色が相対的に視認しやすいが、非エンボス部２７を通して、有色層１５の色が相対的に視認しにくくなる。
【００３６】  また、エンボス領域２９の吸収コア７では、一対のエンボス部２１（２１ａ，２１ｂ）を構成する吸収コアエンボス部構成部分３２（３２ａ，３２ｂ）のそれぞれのパルプ繊維の質量比が、非エンボス部２７を構成する吸収コア非エンボス部構成部分３４のパルプ繊維９の質量比よりも高い。これは、図３に示されるように、吸収体５、具体的には吸収コア７は、一対のエンボス部２１（２１ａ，２１ｂ）が形成される前の時点で、一対のエンボス部構成部分３１（３１ａ，３１ｂ）に相当する低坪量領域３７におけるパルプ繊維９の質量比が、非エンボス部構成部分に相当する高坪量領域３５におけるパルプ繊維９の質量比よりも高く、一対のエンボス部２１（２１ａ，２１ｂ）が形成された後においても、同様のパルプ比率の関係を有することに由来する。
【００３７】  吸収コア７において、パルプ繊維９の屈折率と、高分子吸収剤１１の屈折率とは異なるのが一般的であり、フィルム状になった一対のエンボス部２１（２１ａ，２１ｂ）のそれぞれでは、パルプ繊維９の質量比が高い方が、パルプ繊維９の質量比が低い場合と比較して、エンボス部２１（２１ａ，２１ｂ）のそれぞれに入射した入射光が、パルプ繊維９と、高分子吸収剤１１との界面で反射しにくく、有色層１５まで到達しやすく、そして有色層１５まで到達し、次いで、反射した反射光が、エンボス部２１（２１ａ，２１ｂ）を透過して、着用者の目に到達しやすくなる。
【００３８】  非エンボス部２７では、吸収コア７が、空気を含んだ状態で、パルプ繊維９と、高分子吸収剤１１とを含んでいる。そのような状況下で、非エンボス部２７における、吸収コア７のパルプ繊維９の質量比を下げる、すなわち、吸収コア７の高分子吸収剤１１の質量比を高くすると、そうでない場合と比較して、パルプ繊維９及び高分子吸収剤１１の界面と、パルプ繊維９及び空気との界面と、高分子吸収剤１１及び空気との界面とで反射する光の量が増え、非エンボス部２７に入射した入射光が、有色層１５に到達しにくく、そして有色層１５から反射された反射光が非エンボス部２７を通って、着用者の目に到達しにくくなる。
【００３９】  以上より、エンボス領域２９において、吸収コアエンボス部構成部分３２（３２ａ，３２ｂ）におけるパルプ繊維９の質量比を、吸収コア非エンボス部構成部分３４におけるパルプ繊維９の質量比よりも高くすることにより、液透過性シート３側から、一対のエンボス部２１（２１ａ，２１ｂ）を通して有色層１５の色を視認しやすいが、非エンボス部２７を通して、有色層１５の色を視認しにくくなる。
【００４０】  さらに、エンボス領域２９では、吸収体５のエンボス部構成部分３１（３１ａ，３１ｂ）の厚さが、吸収体５の非エンボス部構成部分３３の厚さよりも薄い。そうすることにより、一対のエンボス部２１（２１ａ，２１ｂ）における、液透過性シート３の肌当接面と、有色層１５との距離が、非エンボス部２７におけるそれよりも物理的に近くなり、液透過性シート３側から、一対のエンボス部２１（２１ａ，２１ｂ）を通して、有色層１５の色を視認しやすいが、非エンボス部２７を通して、有色層１５の色を視認しにくくなる。
【００４１】  特に、吸収体５において、一対のエンボス部２１（２１ａ，２１ｂ）が形成される前の時点で、一対のエンボス部２１（２１ａ，２１ｂ）を構成するエンボス部構成部分３１（３１ａ，３１ｂ）の厚さが、非エンボス部２７を構成する非エンボス部構成部分３３の厚さよりも薄い。具体的には、吸収コア７では、一対のエンボス部２１（２１ａ，２１ｂ）が形成される前の時点で、一対のエンボス部２１（２１ａ，２１ｂ）を構成する吸収コアエンボス部構成部分３２（３２ａ，３２ｂ）の厚さが、非エンボス部２７を構成する吸収コア非エンボス部構成部分３４の厚さよりも薄い。
【００４２】  従って、一対のエンボス部２１（２１ａ，２１ｂ）における、液透過性シート３の肌当接面と、有色層１５との距離が、非エンボス部２７におけるそれよりも物理的に近くなり、液透過性シート３側から、一対のエンボス部２１（２１ａ，２１ｂ）を通して、有色層１５の色を視認しやすいが、非エンボス部２７を通して、有色層１５の色を視認しにくくなる。
【００４３】  同様に、エンボス領域２９は、幅方向Ｗに、お互いに離間して配置されている一対のエンボス部２２（２２ａ，２２ｂ）と、それらの間の非エンボス部２７とを含み、幅方向Ｗに、お互いに離間して配置されている一対のエンボス部２３（２３ａ，２３ｂ）と、それらの間の非エンボス部２７とを含み、そして長手方向Ｌに、お互いに離間して配置されている一対のエンボス部２４（２４ａ，２４ｂ）と、それらの間の非エンボス部２７とを含むが、これらは、幅方向Ｗに、お互いに離間して配置されている一対のエンボス部２１（２１ａ，２１ｂ）と、それらの間の非エンボス部２７との関係と同様であるため、説明を省略する。
【００４４】  換言すると、第１実施形態では、エンボス領域２９が、排泄口当接域に配置された非エンボス部２７と、非エンボス部２７を間欠的に取り囲むように配置されたエンボス部（２１，２２，２３，２４）とを有する。そうすることにより、着用者が、吸収性物品１のエンボス領域２９を視認しやすく、吸収性物品１を着用する際に、吸収性物品１のエンボス領域２９の位置と、着用者の配置すべき位置とを合わせやすい。また、エンボス領域２９のエンボス部（２１，２２，２３，２４）が、体液をその外側に移動させにくいので、吸収性物品が耐漏れ性に優れる。
【００４５】  図４は、本開示の別の実施形態（以下、「第２実施形態」と称する）に従う吸収性物品１、具体的には、生理用ナプキンを説明するための図である。図４は、図１のＩＩ−ＩＩ断面に相当する断面図である。
【００４６】  第２実施形態に従う吸収性物品１は、液透過性シート３と、第１吸収体５１と、第２吸収体５３と、液不透過性シート１７と、吸収性物品１を着衣に固定するための固定部１９とをその順で備える。第１吸収体５１は、吸収コア７と、液透過性シート３側から吸収コア７を覆うコアラップ１３と、液不透過性シート１７側から吸収コア７を覆うコアラップ１４とから成り、吸収コア７は、パルプ繊維９と、高分子吸収剤１１とを含む。第１吸収体５１では、液不透過性シート１７側から吸収コア７を覆うコアラップ１３が、緑系色に着色されている。
【００４７】  第２吸収体５３は、液透過性シート３よりの第２上方コアラップ５７と、液不透過性シート１７よりの第２下方コアラップ５９と、第２上方コアラップ５７及び第２下方コアラップ５９の間の高分子吸収剤層５５とを備える。第２上方コアラップ５７は、第２吸収体５３の肌側面を構成する。また、第２上方コアラップ５７は、第１吸収体５１のコアラップ１３よりも彩度の高い緑系色に着色されており、有色層１５を構成している。
【００４８】  第２実施形態に従う吸収性物品１は、第１吸収体５１と、第２吸収体５３とを備え、第２吸収体５３が、有色層１５を構成しているため、液不透過性シートの着衣当接面等に形成される色彩とは無関係に、吸収性物品１の液透過性シート３側から、吸収性物品１の位置合わせの目印となる色彩を選択することができる。
【００４９】  また、第２実施形態に従う吸収性物品は、有色層１５に加え、第１吸収体５１のコアラップ１３が着色されており、具体的には、有色層１５と、コアラップ１３とが緑色系の色を有し、そして有色層１５の彩度が、コアラップ１３の彩度よりも高いため、エンボス領域２９において、エンボス部２１の色が鮮やかに見える。従って、着用者が、吸収性物品１のエンボス領域２９を視認しやすくなり、吸収性物品１を着用する際に、吸収性物品１のエンボス領域２９の位置と、着用者の配置すべき位置とを合わせやすくなる。さらに、吸収性物品１は、位置合わせがしやすいため、適切に装着されやすくなり、その結果、吸収性物品１は、漏れが生じにくくなる。  その他の部分は、第１実施形態に示される吸収性物品１と同様であるため、説明を省略する。
【００５０】  図５及び図６は、本開示の別の実施形態（以下、「第３実施形態」と称する）に従う吸収性物品１、具体的には、生理用ナプキンを説明するための図である。具体的には、図５は、吸収性物品１の平面図である。図６は、吸収性物品１の、図５のＶＩ−ＶＩ断面における部分断面図である。
【００５１】  第３実施形態に従う吸収性物品１は、液透過性シート３と、吸収体５と、有色層１５と、液不透過性シート１７と、吸収性物品１を着衣に固定するための固定部１９とをその順で備える。また、吸収性物品１は、長手方向Ｌ、幅方向Ｗ及び厚さ方向Ｔを有する。  なお、吸収性物品１は、サイドシート１０１と、液透過性シート３及び吸収体５をエンボスしている、エンボス部９５、エンボス部９６及びエンボス部９７を備える。
【００５２】  有色層１５は、白色の液透過性シート３と異なる緑系色に着色された不織布から構成されている。  吸収体５は、吸収コア７と、吸収コア７を覆う２枚のコアラップ１３とから成り、吸収コア７は、パルプ繊維９と、高分子吸収剤１１とを含む。
【００５３】  吸収性物品１は、排泄口当接域に配置された第１非エンボス部７１と、排泄口当接域の外縁を間欠的に取り囲んでいる第１エンボス部７３とを含む第１エンボス領域７５を備える。吸収性物品１はまた、排泄口当接域の内側、具体的には、第１非エンボス部７１の中に配置された、第２エンボス領域７７を備える。第２エンボス領域７７は、長手方向Ｌに隣接する３つの非エンボス部である、第２非エンボス部７９、第２非エンボス部８１及び第２非エンボス部８３と、第２非エンボス部７９を間欠的に取り囲んでいる第２エンボス部８５と、第２非エンボス部８１を間欠的に取り囲んでいる第２エンボス部８７と、第２非エンボス部８３を間欠的に取り囲んでいる第２エンボス部８９とを含む。
【００５４】  具体的には、第１エンボス領域７５の第１エンボス部７３では、液透過性シート３及び吸収体５が、厚さ方向Ｔにエンボスされているが、有色層１５はエンボスされていない。また、第１エンボス領域７５の第１非エンボス部７１では、第２エンボス領域７７（具体的には、第２エンボス部８５，第２エンボス部８７及び第２エンボス部８９）を除いて、液透過性シート３、吸収体５及び有色層１５のいずれもエンボスされていない。
【００５５】  また、第２エンボス領域７７の第２エンボス部８５、第２エンボス部８７及び第２エンボス部８９では、液透過性シート３及び吸収体５が、厚さ方向Ｔにエンボスされているが、有色層１５はエンボスされていない。また、第２エンボス領域７７の第２非エンボス部７９，第２非エンボス部８１及び第２非エンボス部８３では、液透過性シート３、吸収体５及び有色層１５のいずれもエンボスされていない。
【００５６】  第１エンボス領域７５では、第１エンボス部７３の厚さが、第１非エンボス部７１の厚さよりも薄い。そうすることにより、第１エンボス部７３における、液透過性シート３の肌当接面と、有色層１５との距離が、第１非エンボス部７１におけるそれよりも物理的に近くなり、液透過性シート３側から、第１エンボス部７３を通して、有色層１５の色を視認しやすいが、第１非エンボス部７１を通して、有色層１５の色を視認しにくくなる。
【００５７】  また、第２エンボス領域７７では、第２エンボス部８５，８７，８９のそれぞれの厚さが、第２非エンボス部７９，８１，８３のそれぞれの厚さよりも薄い。そうすることにより、第２エンボス部８５，８７，８９のそれぞれにおける、液透過性シート３の肌当接面と、有色層１５との距離が、第２非エンボス部７９，８１，８３のそれぞれにおける距離よりも物理的に近くなり、液透過性シート３側から、第２エンボス部８５，８７，８９を通して、有色層１５の色を視認しやすいが、第２非エンボス部７９，８１，８３を通して、有色層１５の色を視認しにくくなる。
【００５８】  第３実施形態に従う吸収性物品１では、吸収体５、具体的には、吸収コア７が、第１エンボス領域７５及び第２エンボス領域７７が形成される前の時点で、平面方向において、略一定の坪量を有しており、そして第１エンボス領域７５及び第２エンボス領域７７が形成された後においても、吸収コア７が、平面方向における、略一定の坪量を保持している。従って、第１エンボス領域７５では、第１エンボス部７３の坪量が、第１非エンボス部７１の坪量と略同一である。同様に、第２エンボス領域７７では、第２エンボス部８５，８７，８９のそれぞれの坪量が、第２非エンボス部７９，８１，８３のそれぞれの坪量と略同一である。
【００５９】  また、第３実施形態に従う吸収性物品１では、吸収コア７が、第１エンボス領域７５及び第２エンボス領域７７が形成される前の時点で、平面方向において、略一定のパルプ繊維９の質量比を有しており、そして第１エンボス領域７５及び第２エンボス領域７７が形成された後においても、吸収コア７が、平面方向における、略一定のパルプ繊維９の質量比を保持している。従って、第１エンボス領域７５では、吸収コア７の、第１エンボス部７３を構成する吸収コア第１エンボス部構成部分（図示せず）のパルプ繊維の質量比が、吸収コア７の、第１非エンボス部７１を構成する吸収コア第１非エンボス部構成部分（図示せず）のパルプ繊維の質量比が略同一である。同様に、第２エンボス領域７７では、吸収コア７の、第２エンボス部８５，８７，８９のそれぞれを構成する吸収コア第２エンボス部構成部分９１のパルプ繊維９の質量比が、吸収コア７の、第２非エンボス部７９，８１，８３のそれぞれを構成する吸収コア第２非エンボス部構成部分９３のパルプ繊維９の質量比が略同一である。
【００６０】  第３実施形態に従う吸収性物品１では、排泄口当接域に配置された第１エンボス領域７５の内側に、第２エンボス領域７７をさらに含むので、吸収性物品１を着用する際に、吸収性物品１の第１エンボス領域７５及び第２エンボス領域７７の位置と、着用者の配置すべき位置とを合わせやすい。
【００６１】  図７〜図１０は、本開示のさらに別の実施形態（以下、「第４実施形態」と称する）に従う吸収性物品１、具体的には、使い捨ておむつを説明するためので図である。具体的には、図７は、吸収性物品１の平面図である。図８は、吸収体５の平面図である。図９は、吸収性物品１の、図７のＩＸ−ＩＸ断面における部分断面図である。図１０は、エンボス部２１（２１ａ，２１ｂ）が形成される前の吸収体５の、図７のＩＸ−ＩＸ断面に相当する断面図である。
【００６２】  第４実施形態に従う吸収性物品１は、液透過性シート３と、吸収体５と、有色層１５と、液不透過性シート１７とをその順で備える。有色層１５は、青系色に着色された樹脂フィルムから構成されている。また、吸収性物品１は、長手方向Ｌ、幅方向Ｗ及び厚さ方向Ｔを有する。さらに、吸収性物品１は、長手方向Ｌにおいて、前胴周り領域ＦＷと、後胴周り領域ＲＷと、前胴周り領域ＦＷ及び後胴周り領域ＲＷの間の股部領域Ｃとに区画される。  吸収体５は、吸収コア７と、吸収コア７を覆う２枚のコアラップ１３とから成り、吸収コア７は、パルプ繊維９と、高分子吸収剤１１とを含む。
【００６３】  吸収性物品１は、弾性部材１５３を含む一対の防漏壁１５１、防漏壁１５１を液透過性シート３に固定するための固定部１５５、弾性部材１５７、弾性部材１５８、テープファスナ１５９等を有するが、当技術分野で公知のものであるため、説明を省略する。
【００６４】  吸収性物品１は、幅方向Ｗに、お互いに離間して配置されている一対のエンボス部２１（２１ａ，２１ｂ）と、それらの間の非エンボス部２７とを含むエンボス領域２９を備える。図８に示されるように、一対のエンボス部２１（２１ａ，２１ｂ）のそれぞれは、前胴周り領域ＦＷ及び股部領域Ｃに渡って、長手方向Ｌに間欠的に延びている。また、一対のエンボス部２１（２１ａ，２１ｂ）は、それぞれ、吸収体５の長手方向Ｌの側縁６１（６１ａ，６１ｂ）から、長手軸線ＬＡに向かって突出している。
【００６５】  一対のエンボス部２１（２１ａ，２１ｂ）のそれぞれは、非エンボス部２７と比較して、厚さが薄く、坪量が少ない等の理由により、折曲げ誘導部として機能する。従って、一対のエンボス部２１（２１ａ，２１ｂ）は、吸収コア７に形成された一対の切欠部６３（６３ａ，６３ｂ）と、一対の切欠部６５（６５ａ，６５ｂ）とともに、着用時に、一対のエンボス部２１（２１ａ，２１ｂ）を基点に、吸収体５が折れ曲がりやすく、吸収体５、ひいては吸収性物品１が、着用者の体にフィットすることができる。
【００６６】  図９に示されるように、一対のエンボス部２１（２１ａ，２１ｂ）のそれぞれでは、液透過性シート３及び吸収体５が、厚さ方向Ｔにエンボスされており、そして有色層１５はエンボスされていない。また、非エンボス部２７では、液透過性シート３、吸収体５及び有色層１５のいずれもエンボスされていない。
【００６７】  エンボス領域２９では、吸収体５の一対のエンボス部構成部分３１（３１ａ，３１ｂ）のそれぞれの坪量が、吸収体５の非エンボス部構成部分３３の坪量よりも小さい。具体的には、吸収コア７の一対の吸収コアエンボス部構成部分３２（３２ａ，３２ｂ）のそれぞれの坪量が、吸収コア７の吸収コア非エンボス部構成部分３４の坪量よりも小さい。これは、図１０に示されるように、吸収体５、具体的には吸収コア７が、一対のエンボス部２１（２１ａ，２１ｂ）が形成される前の時点で、高坪量領域３５と、高坪量領域３５の坪量よりも坪量が小さい低坪量領域３７を備えることに由来する。なお、低坪量領域３７は、一対のエンボス部構成部分３１（３１ａ，３１ｂ）のそれぞれ（具体的には、一対の吸収コアエンボス部構成部分３２（３２ａ，３２ｂ）のそれぞれ）と一致するように形成されている。
【００６８】  第４実施形態に従う吸収性物品１では、一対のエンボス部２１（２１ａ，２１ｂ）を形成する前の時点で、一対のエンボス部構成部分３１（３１ａ，３１ｂ）のそれぞれ（具体的には、一対の吸収コアエンボス部構成部分３２（３２ａ，３２ｂ）のそれぞれ）が低坪量領域３７を構成し、非エンボス部構成部分３３（具体的には、吸収コア非エンボス部構成部分３４）が高坪量領域３５を構成するように、吸収体５（具体的には、吸収コア７）を形成し、一対のエンボス部２１（２１ａ，２１ｂ）を形成した後も、同様の坪量関係を保持させている。吸収体５の坪量が小さい方が有色層１５の色が透けやすいため、液透過性シート３側から、一対のエンボス部２１（２１ａ，２１ｂ）のそれぞれを通して、有色層１５の色が相対的に視認しやすいが、非エンボス部２７を通して、有色層１５の色が相対的に視認しにくくなる。
【００６９】  また、エンボス領域２９では、吸収コア７の吸収コアエンボス部構成部分３２（３２ａ，３２ｂ）のパルプ繊維の質量比が、非エンボス部２７の吸収コア非エンボス部構成部分３４のパルプ繊維９の質量比よりも高い。これは、図３に示されるように、一対のエンボス部２１（２１ａ，２１ｂ）が形成される前の時点で、吸収コア７では、一対のエンボス部構成部分３１（３１ａ，３１ｂ）に相当する低坪量領域３７におけるパルプ繊維９の質量比が、非エンボス部構成部分に相当する高坪量領域３５におけるパルプ繊維９の質量比よりも高く、一対のエンボス部２１（２１ａ，２１ｂ）が形成された後においても、同様のパルプ比率の関係を保持していることに起因する。
【００７０】  吸収コア７において、パルプ繊維９の屈折率と、高分子吸収剤１１の屈折率とは異なるのが一般的であり、フィルム状になった一対のエンボス部２１（２１ａ，２１ｂ）のそれぞれでは、パルプ繊維９の質量比が高い方が、パルプ繊維９の質量比が低い場合と比較して、エンボス部２１（２１ａ，２１ｂ）のそれぞれに入射した入射光が、パルプ繊維９と、高分子吸収剤１１との界面で反射しにくく、有色層１５まで到達しやすく、そして有色層１５まで到達し、次いで、反射した反射光が、エンボス部２１（２１ａ，２１ｂ）を透過して、着用者の目に到達しやすくなる。
【００７１】  非エンボス部２７では、吸収コア７が、空気を含んだ状態で、パルプ繊維９と、高分子吸収剤１１とを含んでいる。そのような状況下で、非エンボス部２７における、吸収コア７のパルプ繊維９の質量比を下げる、すなわち、吸収コア７の高分子吸収剤１１の質量比を高くすると、そうでない場合と比較して、パルプ繊維９及び高分子吸収剤１１の界面と、パルプ繊維９及び空気との界面と、高分子吸収剤１１及び空気との界面とで反射する光の量が増え、非エンボス部２７に入射した入射光が、有色層１５に到達しにくく、そして有色層１５から反射された反射光が非エンボス部２７を通って、着用者の目に到達しにくくなる。
【００７２】  以上より、エンボス領域２９において、吸収コアエンボス部構成部分３２（３２ａ，３２ｂ）におけるパルプ繊維９の質量比を、吸収コア非エンボス部構成部分３４におけるパルプ繊維９の質量比よりも高くすることにより、液透過性シート３側から、一対のエンボス部２１（２１ａ，２１ｂ）を通して有色層１５の色を視認しやすいが、非エンボス部２７を通して、有色層１５の色を視認しにくくなる。
【００７３】  さらに、エンボス領域２９では、吸収体５のエンボス部構成部分３１（３１ａ，３１ｂ）の厚さが、吸収体５の非エンボス部構成部分３３の厚さよりも薄い。そうすることにより、一対のエンボス部２１（２１ａ，２１ｂ）における、液透過性シート３の肌当接面と、有色層１５との距離が、非エンボス部２７におけるそれよりも物理的に近くなり、液透過性シート３側から、一対のエンボス部２１（２１ａ，２１ｂ）を通して、有色層１５の色を視認しやすいが、非エンボス部２７を通して、有色層１５の色を視認しにくくなる。
【００７４】  特に、吸収体５において、一対のエンボス部２１（２１ａ，２１ｂ）が形成される前の時点で、一対のエンボス部２１（２１ａ，２１ｂ）を構成するエンボス部構成部分３１（３１ａ，３１ｂ）の厚さが、非エンボス部２７を構成する非エンボス部構成部分３３の厚さよりも薄い。具体的には、吸収コア７では、一対のエンボス部２１（２１ａ，２１ｂ）が形成される前の時点で、一対のエンボス部２１（２１ａ，２１ｂ）を構成する吸収コアエンボス部構成部分３２（３２ａ，３２ｂ）の厚さが、非エンボス部２７を構成する吸収コア非エンボス部構成部分３４の厚さよりも薄い。従って、一対のエンボス部２１（２１ａ，２１ｂ）における、液透過性シート３の肌当接面と、有色層１５との距離が、非エンボス部２７におけるそれよりも物理的に近くなり、液透過性シート３側から、一対のエンボス部２１（２１ａ，２１ｂ）を通して、有色層１５の色を視認しやすいが、非エンボス部２７を通して、有色層１５の色を視認しにくくなる。
【００７５】  図１１は、第１実施形態に従う吸収性物品１の吸収コア７の製造例を説明するための図である。具体的には、図１１（ａ）は、吸収コア７を製造するサクションドラム２０３の外周面に設けられた型部材２０５に、パルプ繊維９及び高分子吸収剤１１が積み重ねられていく状態を模式的に示す要部拡大端面図である。また、図１１（ｂ）は、型部材２０５に堆積した吸収コア７を説明するための図である。
【００７６】  吸収コア７の原料である、パルプ繊維９及び高分子吸収剤１１を搬送する搬送管２０１は、サクションドラム２０３に連結されている。サクションドラムの２０３の外周面に配置された型部材２０５は、基部２０７から突出し、サクションドラム２０３の周方向に延びている、台形形状の断面を有する、一対の突起部２０９及び突起部２１０を備えている。具体的には、一対の突起部２０９及び突起部２１０は、それぞれ、それらの周面方向の形状が、第１実施形態に示される一対のエンボス部２１（２１ａ，２１ｂ）の長手方向Ｌの形状と対応するように、型部材２０５の基部２０７上に形成されている。
【００７７】  また、型部材２０５では、基部２０７が通気性を有する金網から形成されており、そして一対の突起部２０９及び突起部２１０は、通気性を有しない金属プレートから形成されている。なお、図１１（ａ）では、奥から手前の方向が、サクションドラム２０３の周方向（回転方向）である。また、図１１（ａ）において、サクションドラム２０３は、向かって上方から下方に吸気している。
【００７８】  図１１（ａ）に示されるように、パルプ繊維９及び高分子吸収剤１１を、搬送管２０１からサクションドラム２０３に供給すると、サクションドラム２０３の吸気に合わせて、パルプ繊維９及び高分子吸収剤１１は向かって下方に移動する。高分子吸収剤１１が突起部２０９及び突起部２１０のそれぞれの頂面２１１及び頂面２１２に衝突すると、高分子吸収剤１１が跳ね上がり、最終的には基部２０７上に堆積する。これは、高分子吸収剤１１が一般的には粒状であり、そしてその質量がパルプ繊維９と比較して大きいため、突起部２０９及び突起部２１０の先端面に衝突した際には跳ね易く、突起部２０９及び突起部２１０が通気性を有しない金属プレートから形成されており、吸気されていないこともあって、突起部２０９及び突起部２１０にとどまりにくいことに起因する。
【００７９】  一方、パルプ繊維９は、軽量で且つ柔軟性を有するため、一対の突起部２０９及び突起部２１０に衝突しても跳ね上がり難く、頂面２１１及び頂面２１２に堆積することができる。なお、上述のとおり、頂面２１１及び頂面２１２は、サクションドラム２０３により吸気されていないため、頂面２１１及び頂面２１２上に堆積するパルプ繊維９の量そのものは、基部２０７のそれよりも少なくなる。
【００８０】  図１１（ｂ）に示されるように、突起部２０９の頂面２１１と、突起部２１０の頂面２１２との上には、吸収コア７の低坪量領域３７が形成され、そして基部２０７上には、吸収コア７の高坪量領域３５が形成される。  低坪量領域３７では、高坪量領域３５と比較して、高分子吸収剤１１が堆積しにくく、そしてパルプ繊維９の堆積速度も緩やかであるため、低坪量領域３７は、高坪量領域３５と比較して、坪量が小さくなり、そしてパルプ繊維９及び高分子吸収剤１１の総質量に対する、パルプ繊維の質量比が大きくなる。
【００８１】  高坪量領域３５及び低坪量領域３７のそれぞれの坪量、パルプ繊維の質量比等は、サクションドラム２０３に供給されるパルプ繊維９及び高分子吸収剤１１の量、それらの質量比、サクションドラム２０３の、単位時間当たりの吸気量、一対の突起部２０９及び突起部２１０の通気度、基部の通気度等を制御することにより調整可能である。
【００８２】  本開示の吸収性物品では、液透過性シート、吸収体（コアラップ、吸収コア等）、液不透過性シート、及び液不透過性シートの素材は、当技術分野で一般的に用いられているものを特に制限なく採用することができる。  特に、液透過性シート及びコアラップのそれぞれの素材は、布帛（例えば、不織布、織布、編物）及びシート、例えば、開孔を有する樹脂シート等から選択されることができ、そして布帛であることが好ましい。エンボス部において光の透過性を確保しやすくし、非エンボス部において光の不透過性を確保しやすくする観点からである。
【００８３】  本開示の吸収性物品では、液透過性シートが、顔料（例えば、白色顔料、例えば、酸化チタン）を含む場合には、液透過性シートは、顔料を、好ましくは０．１〜２０．０質量％、より好ましくは０．５〜１０．０質量％、そしてさらに好ましくは１．０〜５．０質量％の濃度で含む。エンボス部において光の透過性を確保しやすくし、非エンボス部において光の不透過性を確保しやすくする観点からである。  なお、顔料、例えば、酸化チタンは、液透過性シートの材料として一般的な熱可塑性樹脂と比較して屈折率が高く、液透過性シートの酸化チタンの量が増えるほど、熱可塑性樹脂と、酸化チタンとの界面において光が反射しやすくなるため、光の透過性が低くなる傾向がある。
【００８４】  本開示の吸収性物品では、液透過性シートは、好ましくは１０〜１００ｇ／ｍ2、より好ましくは１２〜７０ｇ／ｍ2、そしてさらに好ましくは１５〜３５ｇ／ｍ2の坪量を有する。エンボス部において光の透過性を確保しやすくし、非エンボス部において光の不透過性を確保しやすくする観点からである。  本明細書では、坪量は、試料を、その面積が１００ｃｍ2となるように、例えば、３ｃｍ×３ｃｍのサイズに切り出し、その質量を測定することにより算出される。
【００８５】  本開示の吸収性物品では、吸収体は、好ましくは５０〜１，０００ｇ／ｍ2、より好ましくは７５〜７５０ｇ／ｍ2、そしてさらに好ましくは１００〜５００ｇ／ｍ2の平均坪量を有する。エンボス部において光の透過性を確保しやすくし、非エンボス部において光の不透過性を確保しやすくする観点からである。
【００８６】  本開示の吸収性物品では、一対のエンボス部と、それらの間に配置された非エンボス部とを含むエンボス領域は、吸収性物品の任意の位置に配置されうるが、例えば、吸収性物品が、着衣等に固定して用いられるもの、たとえば、生理用ナプキン、パンティーライナー、尿取りパッド等である場合には、エンボス領域は、排泄口当接域（例えば、膣口当接域、尿口当接域等）を含む領域に配置されることが好ましく、そして排泄口当接域に配置されることがより好ましい。また、エンボス領域は、排泄口当接域の内部に配置されていてもよい。吸収性物品の排泄口当接域と、着用者の排泄口との位置を合わせることが吸収性の観点から好ましいからである。
【００８７】  また、本開示の吸収性物品は、複数のエンボス領域を備えることができ、そしてあるエンボス領域内に別のエンボス領域が形成されていてもよい。エンボス領域内に別のエンボス領域が形成されることにより、エンボス領域の視認性が上がり、着用者が位置合わせしやすくなる。  本開示の吸収性物品が、複数のエンボス領域を備える場合には、複数のエンボス領域のそれぞれにおける好ましい特性は、上述のとおりである。
【００８８】  吸収性物品が、着衣に固定して用いられるものであり、エンボス領域が、排泄口当接域に配置されている場合には、非エンボス部が、排泄口当接域に配置されており、一対のエンボス部が、排泄口当接域の外縁を連続的又は間欠的に取り囲んでいることが好ましい。位置合わせの目印としての観点からである。
【００８９】  なお、本明細書では、エンボス領域における一対のエンボス部は、非エンボス部を間に挟んで向かい合っていれば足り、一対のエンボス部のそれぞれが、お互いに異なる形状を有していてもよい。本明細書では、位置合わせのしやすさの観点から、一対のエンボス部のそれぞれが、非エンボス部を中心として、対象（点対称、線対称等）の形状を有することが好ましい。  また、一対のエンボス部のそれぞれが相互に連結し、１つの連結したエンボス部を形成していてもよい。上記連結したエンボス部は、連続的又は間欠的に延びていてよい。
【００９０】  本開示の吸収性物品が着衣に固定して用いられないもの、例えば、使い捨ておむつである場合には、上記エンボス領域は、排泄口当接域、特に、股間部を中心に設けられることが好ましい。吸収性と、エンボス領域のエンボス部を折曲げ誘導部として用いる観点からである。
【００９１】  本開示の吸収性物品では、エンボス領域を構成するエンボス部は、少なくとも吸収体をエンボスしており、有色層をエンボスしていない。換言すると、上記エンボス部は、厚さ方向において、吸収体をその構成要素とし、そして吸収体を構成要素の下限としている。本開示の効果の観点からである。
【００９２】  本開示の吸収性物品では、上記エンボス部は、吸収体のみをエンボスしていてもよい。換言すると、上記エンボス部は、吸収体のみを構成要素とし、そして吸収体を、構成要素の上限及び下限としてもよい。エンボス部が吸収体に形成されていれば、吸収性物品の液透過性シート側から、有色層が視認されうるからである。
【００９３】  本開示の吸収性物品では、上記エンボス部は、液透過性シートから吸収体に至る層をエンボスしていることが好ましい。換言すると、上記エンボス部は、液透過性シートから吸収体までをその構成要素とし、液透過性シートを構成要素の上限とし、吸収体を構成要素の下限とすることが好ましい。吸収性物品の液透過性シート側から有色層を視認可能とする観点からである。
【００９４】  本開示の吸収性物品では、エンボス領域を構成するエンボス部は、当技術分野で一般的に行われている方法、例えば、対象物を一対のエンボスロールによりエンボスするエンボス法により形成することができる。エンボス部における光の透過性を向上させる観点からは、エンボス法において、対象物に加えられる温度であるエンボス温度を高くすることが好ましい。例えば、エンボス領域を構成するエンボス部が、液透過性シート及び吸収体に形成されている場合であって、液透過性シートが、芯鞘構造を有する熱可塑性樹脂繊維の不織布から構成されているときには、上記エンボス温度を、上記熱可塑性樹脂繊維の鞘成分の融点よりも高い温度とすることができる。
【００９５】  本開示の吸収性物品では、吸収体のエンボス部構成部分の厚さは、吸収体の非エンボス部構成部分の厚さよりも薄く、そして吸収体の非エンボス部構成部分の厚さの、好ましくは０．１〜３０％、そしてより好ましくは０．５〜１０％の厚さを有する。エンボス部において光の透過性を確保しやすくし、非エンボス部において光の不透過性を確保しやすくする観点からである。  上記厚さは、液体窒素等で冷凍させた吸収体を切断し、その切断面の画像を電子顕微鏡で撮影し、当該画像から測定することができる。
【００９６】  本開示の吸収性物品において、吸収体のエンボス部構成部分は、吸収体の非エンボス部構成部分の坪量よりも小さいことが好ましい。すなわち、吸収体のエンボス部構成部分が低坪量領域を構成し、吸収体の非エンボス部構成部分が高坪量領域を構成することが好ましい。また、エンボス部構成部分は、吸収体の平均坪量の、好ましくは１〜７０質量％、そしてより好ましくは５〜５０質量％の坪量を有する。エンボス部において光の透過性を確保しやすくし、非エンボス部において光の不透過性を確保しやすくする観点からである。  上記エンボス部構成部分の坪量は、吸収体から、エンボス部構成部分を切り出し、その面積及び質量を測定することにより算出される。
【００９７】  本開示の吸収性物品において、吸収体が、パルプ繊維及び高分子吸収剤を含む吸収コアを備える場合には、上記吸収性物品は、吸収コアにおいて、パルプ繊維及び高分子吸収剤を、それらの合計質量１００％に基づいて、好ましくは３０〜９９質量％及び１〜７０質量％、より好ましくは４５〜９５質量％及び５〜５５質量％、そしてさらに好ましくは６０〜９０質量％及び１０〜４０質量％の比率で含む。
【００９８】  本開示の吸収性物品において、吸収体が、パルプ繊維及び高分子吸収剤を含む吸収コアを備える場合には、吸収コアの吸収コアエンボス部構成部分のパルプ繊維の質量比が、非エンボス部の吸収コア非エンボス部構成部分のパルプ繊維の質量比よりも、好ましくは高く、より好ましくは５％以上高く、より好ましくは１０％以上高く、そしてさらに好ましくは２０％以上高い。エンボス部において光の透過性を確保しやすくし、非エンボス部において光の不透過性を確保しやすくする観点からである。  パルプ繊維の質量比は、吸収コアにおける、パルプ繊維の質量の、吸収コアを構成する成分の総質量に対する比を意味する。
【００９９】  吸収コアエンボス部構成部分におけるパルプ繊維の質量比は、吸収コアエンボス部構成部分を切り出し、パルプ繊維を、その他の成分とより分け、パルプ繊維の質量と、吸収コアを構成する全成分の総質量とを測定し、計算により算出される。吸収コア非エンボス部構成部分におけるパルプ繊維の質量比も同様に測定される。
【０１００】  本開示の吸収性物品では、エンボス領域における非エンボス部は、吸収体及び有色層をエンボスしていないが、非エンボス部において、液透過性シートがエンボスされていてもよい。そのような液透過性シートとしては、例えば、スパンボンド不織布が挙げられる。
【０１０１】  本開示の吸収性物品は、吸収体と、液不透過性シートとの間に、第２吸収体を含むことができる。また、第２吸収体の肌当接面を構成するシートが、有色層を構成することが好ましい。液不透過性シートの着衣当接面等に形成される色彩とは無関係に、吸収性物品の液透過性シート側から、吸収性物品の位置合わせの目印となりやすい色彩を選択することができる観点からである。
【０１０２】  本開示の吸収性物品では、有色層は、液不透過性シートとは、別異の構成要素である。本開示の吸収性物品では、有色層を、液不透過性シートと区別することにより、有色層の色を、液不透過性シートの着衣当接面等に形成される色彩とは無関係に、吸収性物品の位置合わせの目印となるように選択することができる。
【０１０３】  本開示の吸収性物品では、有色層は、着色されている層であれば、特に制限されず、例えば、布帛、例えば、不織布、織布、織物、シート、例えば、樹脂シート等が挙げられる。  上記有色層は、購入することができ、そして白色の不織布、透明又は半透明の樹脂フィルムに、着色材料を塗布、印刷等することにより形成することができる。
【０１０４】  本開示の吸収性物品では、上記有色層は、エンボス領域と、吸収性物品の厚さ方向に重複する範囲に配置されていればよい。本開示の効果の観点からである。また、上記有色層は、吸収体と、上記厚さ方向に重複する範囲に配置されることができ、そして吸収性物品の長手方向及び幅方向において、吸収体を超えるように配置されていてもよい。
【０１０５】  本開示の吸収性物品では、有色層は、液透過性シートと異なる色を有する。上記有色層は、液透過性シートと、好ましくは３．０以上、より好ましくは５．０以上、そしてさらに好ましくは８．０以上の色差を有する。そうすることにより、着用者が、液透過性シート側から、エンボス領域におけるエンボス部を通して、有色層の色を視認しやすくなる傾向がある。  同様に、上記有色層は、液透過性シートと、好ましくは５０以下、より好ましくは４０以下、そしてさらに好ましくは３０以下の色差を有する。そうすることにより、着用者が、液透過性シート側から、エンボス領域における非エンボス部を通して、有色層の色を視認しにくくなる傾向がある。
【０１０６】  上記色差は、以下の通り測定される。（１）２０℃の恒温室に、コニカミノルタ社製、色彩色差計ＣＲ−３００を準備し、測定すべき液透過性シートと、有色層と、ＡＤＶＡＮＴＥＣ社の定性ろ紙  Ｎｏ．２  φ５５（ＪＩＳ  Ｐ  ３８０１）とを準備し、それらを１時間静置する。（２）上記定性ろ紙の上に、測定すべき液透過性シートを、その肌当接面が上を向くように配置し、上記色差計にて、肌当接面のＣＩＥ  Ｌ*ａ*ｂ*表色系の座標（Ｌ*0，ａ*0，ｂ*0）を測定する。（３）上記定性ろ紙の上に、有色層を、その肌側面が上を向くように配置し、上記色差計にて、ＣＩＥ  Ｌ*ａ*ｂ*表色系の座標（Ｌ*1，ａ*1，ｂ*1）を測定する。（４）色差（ΔＥ）を、次の式：  ΔＥ＝｛（Ｌ*1−Ｌ*0）2＋（ａ*1−ａ*0）2＋（ｂ*1−ｂ*0）2｝0.5  により算出する。（５）測定は５回行い、その平均値を採用する。
【０１０７】  エンボス領域のエンボス部において、吸収性物品の液透過性シート側から有色層の色を視認可能とする観点からは、液透過性シートは、淡色系の色を有することが好ましく、そして白色系の色を有することがより好ましい。具体的には、上述の観点から、液透過性シートは、上述の肌当接面のＣＩＥ  Ｌ*ａ*ｂ*表色系の座標（Ｌ*0，ａ*0，ｂ*0）のＬ*0値が、好ましくは８０以上、より好ましくは８５以上、さらに好ましくは９０以上、そしてさらにいっそう好ましくは９５以上である。
【０１０８】  本開示の吸収性物品が第１吸収体及び第２吸収体を含み、第２吸収体の肌側面が有色層を構成し、第１吸収体が追加の有色層を有する場合（例えば、第１吸収体の、液不透過性シートよりのコアラップが着色されており、追加の有色層を構成している場合）には、第２吸収体の有色層と、第１吸収体の追加の有色層とは同系の色相を有することが好ましく、そして第２吸収体の有色層と、第１吸収体の追加の有色層とが同系の色相を有し且つ第２吸収体の有色層の彩度が第１吸収体の追加の有色層の彩度よりも高いことがより好ましい。そうすることにより、エンボス領域におけるエンボス部の鮮やかさが向上し、エンボス領域の視認性が向上する。
【０１０９】  上記有色層は、機能性成分をさらに含んでもよい。上記機能性成分として、例えば、芳香成分、冷感成分、温感成分、消臭成分、抗菌成分、スキンケア成分、並びにそれらの任意の組み合わせから成る群から選択される成分が挙げられる。
【０１１０】  上記芳香成分としては、当技術分野で香料として用いられているものであれば、特に制限されず、例えば、沸点が約２５０℃以下の高揮発性香料、沸点が約２５０〜約３００℃の中揮発性香料が挙げられる。
【０１１１】  上記冷感成分としては、当技術分野で冷感材として知られているものが挙げられ、例えば、皮膚の神経にある受容体活性化チャネル（ＴＲＰＭ８）に作用するもの、例えば、メントール（例えば、ｌ−メントール）及びその誘導体、サリチル酸メチル、カンファー、植物（例えば、ミント、ユーカリ）由来の精油等が挙げられる。また、上記冷感成分としては、気化熱により周囲の温度を下げるもの、例えば、アルコール、例えば、メタノール及びエタノールが挙げられる。
【０１１２】  上記温感成分としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、並びにそれらの任意の組み合わせが挙げられる。
【０１１３】  上記消臭成分としては、当技術分野で消臭剤として知られているものが挙げられる。  上記スキンケア成分としては、例えば、消炎成分、鎮痒成分、かぶれ防止成分、保湿成分等が挙げられ、例えば、メントール、サリチル酸メチル等が挙げられる。
【０１１４】  上記抗菌成分としては、例えば、第４級アンモニウム塩、グアニジン系抗菌剤（例えば、グルコン酸クロルヘキシジン、塩酸クロルヘキシジン）、ビグアナイド系抗菌剤、金属イオン担持物、ヘキセチジン、メタロニダゾール等が挙げられる。
【符号の説明】
【０１１５】  １    吸収性物品  ３    液透過性シート  ５    吸収体  ７    吸収コア  ９    パルプ繊維  １１    高分子吸収剤  １３    コアラップ  １５    有色層  １７    液不透過性シート  １９    固定部  ２１，２２，２３，２４，２５    エンボス部  ２７    非エンボス部  ２９    エンボス領域  ３１    エンボス部構成部分  ３２    吸収コアエンボス部構成部分  ３３    非エンボス部構成部分  ３４    吸収コア非エンボス部構成部分  ３５    高坪量領域  ３７    低坪量領域  ５１    第１吸収体  ５３    第２吸収体  ５５    高分子吸収剤層  ５７    第２上方コアラップ  ５９    第２下方コアラップ  ６１    側縁  ６３，６５    切欠部  ７１    第１非エンボス部  ７３    第１エンボス部  ７５    第１エンボス領域  ７７    第２エンボス領域  ７９，８１，８３    第２非エンボス部  ８５，８７，８９    第２エンボス部  ９１    吸収コア第２エンボス部構成部分  ９３    吸収コア第２非エンボス部構成部分
【図１】
2018061220.tif 000003
【図２】
2018061220.tif 000004
【図３】
2018061220.tif 000005
【図４】
2018061220.tif 000006
【図５】
2018061220.tif 000007
【図６】
2018061220.tif 000008
【図７】
2018061220.tif 000009
【図８】
2018061220.tif 000010
【図９】
2018061220.tif 000011
【図１０】
2018061220.tif 000012
【図１１】
2018061220.tif 000013
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
液透過性シートと、吸収体と、有色層と、液不透過性シートとをその順で備え、長手方向、幅方向及び厚さ方向を有する吸収性物品であって、
前記吸収性物品が、一対のエンボス部と、それらの間に配置された非エンボス部とを含むエンボス領域を備え、
前記一対のエンボス部のそれぞれが、前記吸収体をエンボスしているが、前記有色層をエンボスしておらず、
前記非エンボス部が、前記吸収体及び前記有色層をエンボスしておらず、
前記エンボス領域では、前記吸収体の、前記一対のエンボス部のそれぞれを構成するエンボス部構成部分の厚さが、前記吸収体の、前記非エンボス部を構成する非エンボス部構成部分の厚さよりも薄く、
前記エンボス領域では、前記吸収体の前記エンボス部構成部分の坪量が、前記吸収体の前記非エンボス部構成部分の坪量よりも小さい、
ことを特徴とする、前記吸収性物品。
【請求項２】
液透過性シートと、吸収体と、有色層と、液不透過性シートとをその順で備え、長手方向、幅方向及び厚さ方向を有する吸収性物品であって、
前記吸収性物品が、一対のエンボス部と、それらの間に配置された非エンボス部とを含むエンボス領域を備え、
前記一対のエンボス部のそれぞれが、前記吸収体をエンボスしているが、前記有色層をエンボスしておらず、
前記非エンボス部が、前記吸収体及び前記有色層をエンボスしておらず、
前記エンボス領域では、前記吸収体の、前記一対のエンボス部のそれぞれを構成するエンボス部構成部分の厚さが、前記吸収体の、前記非エンボス部を構成する非エンボス部構成部分の厚さよりも薄く、
前記吸収体が、パルプ繊維と、高分子吸収剤とを含む吸収コアを備え、前記吸収コアにおいて、前記一対のエンボス部のそれぞれを構成する吸収コアエンボス部構成部分の前記パルプ繊維の質量比が、前記非エンボス部を構成する吸収コア非エンボス部構成部分の前記パルプ繊維の質量比よりも高い、
ことを特徴とする、前記吸収性物品。
【請求項３】
液透過性シートと、吸収体と、有色層と、液不透過性シートとをその順で備え、長手方向、幅方向及び厚さ方向を有する吸収性物品であって、
前記吸収性物品が、一対のエンボス部と、それらの間に配置された非エンボス部とを含むエンボス領域を備え、
前記一対のエンボス部のそれぞれが、前記吸収体をエンボスしているが、前記有色層をエンボスしておらず、
前記非エンボス部が、前記吸収体及び前記有色層をエンボスしておらず、
前記エンボス領域では、前記吸収体の、前記一対のエンボス部のそれぞれを構成するエンボス部構成部分の厚さが、前記吸収体の、前記非エンボス部を構成する非エンボス部構成部分の厚さよりも薄く、
前記吸収性物品が、前記吸収体と、前記液不透過性シートとの間に第２吸収体を備え、前記有色層が、第２吸収体の肌側面を構成している、
ことを特徴とする、前記吸収性物品。
【請求項４】
前記一対のエンボス部のそれぞれが、前記厚さ方向において、前記液透過性シートをさらにエンボスしている、請求項１〜３のいずれか一項に記載の吸収性物品。
【請求項５】
前記エンボス領域が、前記吸収性物品の排泄口当接域を含む領域に配置されている、請求項１〜４のいずれか一項に記載の吸収性物品。
【請求項６】
前記吸収性物品が、前記液不透過性シートに、前記吸収性物品を着衣に固定するための固定部を有し、前記一対のエンボス部が、前記非エンボス部の、前記幅方向の両外側で、前記長手方向に延びている、請求項５に記載の吸収性物品。
【請求項７】
前記非エンボス部が、排泄口当接域に配置されており、前記一対のエンボス部が、前記排泄口当接域の外縁を、連続的又は間欠的に取り囲んでいる、請求項６に記載の吸収性物品。
【請求項８】
前記吸収性物品が、前記エンボス領域の内側に、一対の第２エンボス部と、それらの間に配置された第２非エンボス部とを含む第２エンボス領域を備え、前記一対の第２エンボス部のそれぞれが、前記液透過性シート及び前記吸収体をエンボスしているが、前記有色層をエンボスしておらず、第２非エンボス部が、前記吸収体及び前記有色層をエンボスしていない、請求項７に記載の吸収性物品。
【請求項９】
前記吸収性物品が使い捨ておむつであり、前記一対のエンボス部のそれぞれが、前記長手方向に延びる、折曲げ誘導部である、請求項１〜５のいずれか一項に記載の吸収性物品。
【請求項１０】
前記有色層が、機能性成分をさらに含む、請求項１〜９のいずれか一項に記載の吸収性物品。
【国際調査報告】
2018061220.tif 000014
2018061220.tif 000015
2018061220.tif 000016
2018061220.tif 000017